(57)【要約】【課題】  個人情報の提供態様の多様化が図られた情報提供システム及び情報提供方法を提供する。【解決手段】  本発明に係る情報提供システム１においては、移動端末２０によって受け付けた識別コードが個人情報サーバ４０に転送されて、個人情報サーバ４０は、その識別コードを用いて個人情報から抽出する項目を決定する。そのため、状況や重要度に応じて、項目の決定に用いる識別コードを変更して、個人情報の抽出項目を変更することができ、個人情報の多様な提供態様を実現することができる。【選択図】  図１
2007323505.tif 000002
【特許請求の範囲】
【請求項１】
移動端末と、複数の項目からなる個人情報が格納された個人情報サーバとを備える情報提供システムであって、
前記移動端末は、
外部から識別コードを受け付ける入力手段と、
前記入力手段によって受け付けた前記識別コードと、前記個人情報サーバに格納されている前記個人情報それぞれを識別可能な個人識別情報とを、前記個人情報サーバに送信する端末送信手段とを有し、
前記個人情報サーバは、
前記移動端末から前記識別コードと前記個人識別情報とを受信する受信手段と、
前記受信手段によって受信した前記個人識別情報を用いて、その個人識別情報によって特定される前記個人情報を選出する個人情報選出手段と、
前記受信手段によって受信した前記識別コードを用いて、その識別コードによって決定される前記個人情報から抽出する項目を決定する抽出項目決定手段と、
前記個人情報選出手段によって選出した前記個人情報のうち、前記抽出項目決定手段によって決定した項目の前記個人情報を送信するサーバ送信手段とを有する、情報提供システム。
【請求項２】
前記サーバ送信手段は、前記識別コードによって決定される送信先に対して前記個人情報を送信する、請求項１に記載の情報提供システム。
【請求項３】
前記サーバ送信手段から送信される前記個人情報を、所定の言語に翻訳する翻訳手段をさらに備える、請求項１又は２に記載の情報提供システム。
【請求項４】
前記移動端末は、自機の位置情報を取得する位置情報取得手段をさらに有し、前記端末送信手段は、前記位置情報取得手段によって取得した位置情報を、前記個人情報サーバに送信し、
前記個人情報サーバは、前記移動端末から送信された前記位置情報を前記受信手段によって受信し、前記翻訳手段は、その位置情報に基づいて翻訳する言語を決定する、請求項３に記載の情報提供システム。
【請求項５】
移動端末と、複数の項目からなる個人情報が格納された個人情報サーバとを備える情報提供システムに適用される情報提供方法であって、
前記移動端末が外部から識別コードを受け付けるステップと、
前記移動端末が受け付けた前記識別コードと、前記個人情報サーバに格納されている前記個人情報それぞれを識別可能な個人識別情報とを、前記移動端末が前記個人情報サーバに送信するステップと、
前記移動端末から送信された前記識別コードと前記個人識別情報とを、前記個人情報サーバが受信するステップと、
前記個人情報サーバが受信した前記個人識別情報を用いて、前記個人情報サーバが、その個人識別情報によって特定される前記個人情報を選出するステップと、
前記個人情報サーバが受信した前記識別コードを用いて、前記個人情報サーバが、その識別コードによって決定される前記個人情報から抽出する項目を決定するステップと、
前記個人情報サーバが選出した前記個人情報のうち、前記個人情報サーバが決定した項目の前記個人情報を、前記個人情報サーバが送信するステップとを有する、情報提供方法。
【請求項６】
前記個人情報サーバが、前記識別コードによって決定される送信先に対して前記個人情報を送信する、請求項５に記載の情報提供方法。
【請求項７】
前記個人情報サーバから送信される前記個人情報を所定の言語に翻訳するステップをさらに備える、請求項５又は６に記載の情報提供方法。
【請求項８】
前記移動端末が自機の位置情報を取得するステップをさらに有し、
前記翻訳するステップでは、前記移動端末が取得した前記位置情報に基づいて翻訳する言語を決定し、決定した言語に前記個人情報を翻訳する、請求項７に記載の情報提供方法。
【発明の詳細な説明】
【技術分野】
【０００１】
本発明は、所定の情報を各種端末に提供する情報提供システム及び情報提供方法に関し、特に個人情報を提供するための情報提供システム及び情報提供方法に関するものである。
【背景技術】
【０００２】
従来、この技術の分野における情報提供システムは、例えば、下記特許文献１に開示されている。このような情報提供システムは、個人情報（特定の個人を識別することができる情報）が格納された情報管理装置を有しており、個人情報の利用に際して、その装置から個人情報を転送することで個人情報を伝達する手間や時間が省かれている。このような情報管理装置では、各個人の個人情報は、固有の識別情報と関連づけられており、この識別情報によって管理されている。従って、その固有の識別情報を用いて問い合わせることにより、その識別情報と関連づけられている個人情報が抽出されて、転送される。
【特許文献１】特開２００３−１６１６８号公報
【発明の開示】
【発明が解決しようとする課題】
【０００３】
しかしながら、上述した従来の情報提供システムでは、個人情報は予め登録された項目が情報管理装置から画一的に転送されるだけであるため、状況や重要度に応じた様々なバリエーションへの対応ができなかった。
【０００４】
そこで、本発明は、上述の課題を解決するためになされたもので、個人情報の提供態様の多様化が図られた情報提供システム及び情報提供方法を提供することを目的とする。
【課題を解決するための手段】
【０００５】
本発明に係る情報提供システムは、移動端末と、複数の項目からなる個人情報が格納された個人情報サーバとを備える情報提供システムであって、移動端末は、外部から識別コードを受け付ける入力手段と、入力手段によって受け付けた識別コードと、個人情報サーバに格納されている個人情報それぞれを識別可能な個人識別情報とを、個人情報サーバに送信する端末送信手段とを有し、個人情報サーバは、移動端末から識別コードと個人識別情報とを受信する受信手段と、受信手段によって受信した個人識別情報を用いて、その個人識別情報によって特定される個人情報を選出する個人情報選出手段と、受信手段によって受信した識別コードを用いて、その識別コードによって決定される個人情報から抽出する項目を決定する抽出項目決定手段と、個人情報選出手段によって選出した個人情報のうち、抽出項目決定手段によって決定した項目の個人情報を送信するサーバ送信手段とを有することを特徴とする。
【０００６】
この情報提供システムにおいては、移動端末によって受け付けた識別コードが個人情報サーバに転送されて、個人情報サーバは、その識別コードを用いて個人情報から抽出する項目を決定する。そのため、状況や重要度に応じて、項目の決定に用いる識別コードを変更して、個人情報の抽出項目を変更することができ、個人情報の多様な提供態様を実現することができる。
【０００７】
また、サーバ送信手段は、識別コードによって決定される送信先に対して個人情報を送信する態様であってもよい。この場合、所望の送信先に対して個人情報を提供することができる。
【０００８】
また、サーバ送信手段から送信される個人情報を、所定の言語に翻訳する翻訳手段をさらに備える態様であってもよい。この場合、個人情報サーバに格納された個人情報の言語とは異なる言語の個人情報を提供することができる。
【０００９】
また、移動端末は、自機の位置情報を取得する位置情報取得手段をさらに有し、端末送信手段は、位置情報取得手段によって取得した位置情報を、個人情報サーバに送信し、個人情報サーバは、移動端末から送信された位置情報を受信手段によって受信し、翻訳手段は、その位置情報に基づいて翻訳する言語を決定する態様であってもよい。この場合、別段の設定をすることなく、例えば、移動端末が位置する国の現地の言語で個人情報を提供することができる。
【００１０】
本発明に係る情報提供方法は、移動端末と、複数の項目からなる個人情報が格納された個人情報サーバとを備える情報提供システムに適用される情報提供方法であって、移動端末が外部から識別コードを受け付けるステップと、移動端末が受け付けた識別コードと、個人情報サーバに格納されている個人情報それぞれを識別可能な個人識別情報とを、移動端末が個人情報サーバに送信するステップと、移動端末から送信された識別コードと個人識別情報とを、個人情報サーバが受信するステップと、個人情報サーバが受信した個人識別情報を用いて、個人情報サーバが、その個人識別情報によって特定される個人情報を選出するステップと、個人情報サーバが受信した識別コードを用いて、個人情報サーバが、その識別コードによって決定される個人情報から抽出する項目を決定するステップと、個人情報サーバが選出した個人情報のうち、個人情報サーバが決定した項目の個人情報を、個人情報サーバが送信するステップとを有することを特徴とする。
【００１１】
この情報提供方法においては、移動端末によって受け付けた識別コードが個人情報サーバに転送されて、個人情報サーバは、その識別コードを用いて個人情報から抽出する項目を決定する。そのため、状況や重要度に応じて、項目の決定に用いる識別コードを変更して、個人情報の抽出項目を変更することができ、個人情報の多様な提供態様を実現することができる。
【００１２】
また、個人情報サーバが、識別コードによって決定される送信先に対して個人情報を送信する態様であってもよい。この場合、所望の送信先に対して個人情報を提供することができる。
【００１３】
また、個人情報サーバから送信される個人情報を所定の言語に翻訳するステップをさらに備える態様であってもよい。この場合、個人情報サーバに格納された個人情報の言語とは異なる言語の個人情報を提供することができる。
【００１４】
また、移動端末が自機の位置情報を取得するステップをさらに有し、翻訳するステップでは、移動端末が取得した位置情報に基づいて翻訳する言語を決定し、決定した言語に個人情報を翻訳する態様であってもよい。この場合、別段の設定をすることなく、例えば、移動端末が位置する国の現地の言語で個人情報を提供することができる。
【発明の効果】
【００１５】
本発明によれば、個人情報の提供態様の多様化が図られた情報提供システム及び情報提供方法が提供される。
【発明を実施するための最良の形態】
【００１６】
以下、添付図面を参照して本発明を実施するにあたり最良と思われる形態について詳細に説明する。なお、同一又は同等の要素については同一の符号を付し、説明が重複する場合にはその説明を省略する。
（第１実施形態）
【００１７】
図１は、本発明の第１実施形態に係る情報提供システム１を示した図である。この情報提供システム１は、ＲＦＩＤ（Radio Frequency Identification）タグ１０を利用して、移動端末２０のユーザに関する個人情報を個人情報サーバ４０から提供するためのシステムである。
【００１８】
この情報提供システム１において利用するＲＦＩＤタグ１０は、表示媒体（例えば、街頭ポスターや観光案内板、標識、車両、旅行ガイドブック）等に取り付けられており、その表示媒体の表示内容に応じた識別コードを格納している。この識別コードは、各状況において必要とされる個人情報の項目に応じて、適宜選択される。
【００１９】
そして、情報提供システム１は、図１に示すように、ネットワークＮＷ（例えば、インターネット）を介して相互に送受信可能な移動端末２０及び個人情報サーバ４０を備えている。
【００２０】
移動端末２０は、例えば、ＲＦＩＤタグ１０の情報を読取可能な携帯電話機であり、各種機能を実現するためのアプリケーションソフト群が記憶されている。この移動端末２０は、物理的な構成要素として、主にＣＰＵ（中央処理装置）、各種メモリ、ＲＦＩＤリーダ、通信装置等を備え、機能的な構成要素として、入力部（入力手段）２２、送信部（端末送信手段）２４、受信部２６及び格納部２８を備えている。
【００２１】
そして、格納部２８には、移動端末２０のユーザに割り当てられた個人ＩＤ（個人識別情報）が格納されている。なお、本実施形態においては、移動端末２０のユーザの個人ＩＤを「ＵＳＥＲ００１」として説明を進める。
【００２２】
また、入力部２２は、移動端末２０の外部にあるＲＦＩＤタグ１０から識別コードを受け付ける部分であり、ＲＦＩＤリーダとして機能する部分である。送信部２４は、入力部２２で受け付けた識別コードと、格納部２８に格納されている個人ＩＤとを互いに関連づけた状態で、個人情報サーバ４０に対して送信する部分である。受信部２６は、個人情報サーバ４０等からネットワークＮＷを介して送られてくる情報を受信する部分である。
【００２３】
個人情報サーバ４０は、例えば、大記憶容量ストレージ装置を備えたサーバであり、各種機能を実現するためのアプリケーションソフト群が記憶されている。この個人情報サーバ４０は、物理的な構成要素として、主にＣＰＵ（中央処理装置）、各種メモリ、ストレージ装置、通信装置等を備え、機能的な構成要素として、受信部（受信手段）４２、個人情報選出部（個人情報選出手段）４４、抽出項目決定部（抽出項目決定手段）４６、送信部（サーバ送信手段）４８及び格納部５０を備えている。
【００２４】
そして、格納部５０には、個人情報データベース５０ａと抽出項目決定データベース５０ｂと識別コードデータベース５０ｃとが格納されている。なお、これらのデータベース５０ａ，５０ｂ，５０ｃ内のデータは、ユーザやその他機関から事前にデータ登録されている。
【００２５】
個人情報データベース５０ａには、図２に示すとおり、移動端末２０のユーザを含む複数のユーザに関する個人情報が格納されている。この個人情報データベース５０ａに格納されている個人情報は、“氏名”、“性別”、“年齢”、“国籍”、“血液型”、“病歴”等を含む複数の項目で構成されていると共に、上述した個人ＩＤによって識別可能となっている。
【００２６】
抽出項目決定データベース５０ｂには、図３に示すとおり、個人情報の各項目を抽出項目とするか否かについての抽出条件が複数用意されている。例を挙げて説明すると、例えば、抽出条件「Ａ」は個人情報の全項目を抽出する条件となっており、抽出条件「Ｂ」は”氏名”と“性別”と“年齢”と“国籍”の項目のみを抽出する条件となっている。
【００２７】
識別コードデータベース５０ｃには、図４に示すとおり、各識別コードに対応する上記抽出条件及び個人情報の宛先が格納されている。つまり、識別コードデータベース５０ｃには、上記識別コードに基づいて抽出条件及び宛先を決定するための情報が格納されている。例を挙げて説明すると、例えば、識別コード「１２３４−A−１」については、その抽出条件は抽出項目決定データベース５０ｂの抽出条件「Ａ」であり、その宛先（送信アドレス）は「１１１＠＊＊＊．ｃｏｍ（移動端末２０の自己アドレス）」である。なお、この図４の宛先項目にある「２２２＠＊＊＊．ｃｏｍ」は、移動端末２０とは異なる端末（他端末）のアドレスである。なお、識別コードデータベース５０ｃの宛先は、適宜、複数登録することもできる。
【００２８】
また、受信部４２は、移動端末２０から送信された識別コード及び個人ＩＤを受信する部分である。個人情報選出部４４は、受信部４２で受信した個人ＩＤを用いて、その個人ＩＤに対応する個人情報を、個人情報データベース５０ａから選出する部分である。抽出項目決定部４６は、受信部４２で受信した識別コードを用いて、識別コードデータベース５０ｃを利用してその識別コードに対応する抽出条件を決定し、抽出項目決定データベース５０ｂを利用して個人情報から抽出すべき項目を決定する部分である。送信部４８は、個人情報選出部４４によって選出した個人情報のうち、抽出項目決定部４６によって決定した項目の個人情報を、識別コードデータベース５０ｃを利用して決定した宛先（例えば、移動端末２０）に対して送信する部分である。
【００２９】
以下、情報提供システム１を用いた情報提供方法として、ユーザの移動端末２０にユーザ本人の個人情報が提供されるまでのフローを、図５に示したフロー図を参照しつつ説明する。
【００３０】
まず、ユーザが、移動端末２０の所定のアプリケーションソフトを用いてＲＦＩＤタグ１０との無線通信をおこなうことにより、入力部２２により識別コード「５６７８−Ｂ−１」の読み取りをおこなう（ステップ１０）。すると、送信部２４から、格納部２８に格納されている個人ＩＤ「ＵＳＥＲ００１」と、ＲＦＩＤタグ１０から読み取られた識別コード「５６７８−Ｂ−１」とが、個人情報サーバ４０に転送される（ステップ１１）。
【００３１】
そして、個人情報サーバ４０が、受信部４２において、上記識別コード及び個人ＩＤを受信する（ステップＳ１２）。次に、個人情報サーバ４０の個人情報選出部４４が、受信部４２が受信した個人ＩＤ「ＵＳＥＲ００１」と、格納部５０の個人情報データベース５０ａとに基づいて、移動端末２０のユーザの個人情報（図２に示した個人情報）を選出する（ステップ１３）。それと前後して、個人情報サーバ４０の抽出項目決定部４６が、受信部４２が受信した識別コード「５６７８−Ｂ−１」と、格納部５０の抽出項目決定データベース５０ｂ及び識別コードデータベース５０ｃとに基づいて、個人情報の項目の中から抽出する項目を決定する（ステップ１４）。具体的には、抽出項目決定部４６は、識別コード「５６７８−Ｂ−１」から、識別コードデータベース５０ｃを参照して、抽出条件「Ｂ」に決定し、その抽出条件「Ｂ」から、抽出項目決定データベース５０ｂを参照して、抽出項目として”氏名”、”性別”、”年齢”、”国籍”の４項目を決定する。
【００３２】
そして、送信部４８から、個人情報選出部４４によって選出した個人情報のうち、抽出項目決定部４６によって決定した４項目（”氏名”、”性別”、”年齢”、”国籍”）の個人情報が、移動端末２０に送信される（ステップ１５）。なお、送信部４８から送信される個人情報の宛先は、識別コード「５６７８−Ｂ−１」から、識別コードデータベース５０ｃを参照して、移動端末２０の宛先「１１１＠＊＊＊．ｃｏｍ」に決定される。
【００３３】
その後、ユーザは、移動端末２０の受信部２６において、個人情報サーバ４０から送信された個人情報を受信することで（ステップ１６）、個人情報サーバ４０から移動端末２０のユーザへの個人情報の提供が完了する。ユーザは、提供された個人情報をモニタ等に出力することで、自由にその内容を閲覧することができる。
【００３４】
以上で詳細に説明したように、本実施形態に係る情報提供システム１は、移動端末２０によって受け付けた識別コードが個人情報サーバ４０に転送されて、個人情報サーバ４０は、その識別コードを用いて個人情報から抽出する項目を決定する。そのため、状況や重要度に応じて、項目の決定に用いる識別コードを変更して、個人情報の抽出項目を変更することができ、個人情報の多様な提供態様を実現することができる。
【００３５】
具体的な例を挙げて説明すると、上述したＲＦＩＤタグ１０を救急車に設置しておくことで、搬送する傷病者に関する個人情報（例えば、”血液型”や”病歴”等）を移動端末２０に表示させることができ、それを応急処置に役立てることが可能である。つまり、傷病者の移動端末２０で、救急車のＲＦＩＤタグ１０から所定の識別コードを読み取り、必要な個人情報を個人情報サーバ４０から移動端末２０に転送するような態様が可能である。
【００３６】
なお、個人情報の利用に際しては、個人の利益を保護する点から十分な注意が必要である。そのため、個人情報を第三者が容易に知り得る事態を回避するために、情報提供システム１にさらに認証サーバを設け、認証サーバが、移動端末２０から個人情報サーバ４０へ送信される識別コードが正規に発行されたものであるか否かを監視する態様にすることが望ましい。
【００３７】
また、個人情報サーバ４０の送信部４８は、識別コードによって決定される宛先（送信先）に対して個人情報を送信するため、所望の送信先に対して個人情報を提供することができる。つまり、移動端末２０とは異なる端末に提供したい場合には、その端末の宛先（例えば、「２２２＠＊＊＊．ｃｏｍ」）に対応する識別コード（例えば、「１２３４−Ａ−２」）を個人情報サーバ４０に送信すればよい。
【００３８】
具体的な例を挙げて説明すると、個人情報の宛先を、救急車の搬送先の病院のパソコン端末にすることで、当該パソコン端末に傷病者に関する個人情報を表示させることができるため、傷病者の個人情報を素早く伝達することができ、病院側において迅速な処置をおこなうことができる。
（第２実施形態）
【００３９】
図５は、本発明の第２実施形態に係る情報提供システム１Ａを示した図である。この情報提供システム１Ａは、移動端末２０がさらに位置情報取得部３０を備える点、個人情報サーバ４０が翻訳部５２を備える点、個人情報サーバ４０の格納部５０に現地語データベース５０ｄが格納されている点でのみ、第１実施形態に係る情報提供システム１と異なる。
【００４０】
移動端末２０の位置情報取得部（位置情報取得手段）３０は、移動端末２０の位置情報をＧＰＳ衛星からの信号受信により取得する部分であり、主に、ＧＰＳアンテナや受信信号処理回路によって構成されている。送信部２４は、本実施形態においては、位置情報取得部３０によって取得した位置情報を、上述した識別コード及び個人ＩＤと共に個人情報サーバ４０に送信する。
【００４１】
個人情報サーバ４０の翻訳部（翻訳手段）５２は、個人情報サーバ４０の送信部４８から送信される個人情報を所定の言語に翻訳する部分である。つまり、翻訳部５２は、個人情報選出部４４によって選出した個人情報のうち、抽出項目決定部４６によって決定した項目の個人情報の翻訳をおこなう。ここで、格納部５０の現地語データベース５０ｄには、移動端末２０の位置情報に基づいてユーザの現在位置の国を判別して、その国において通用する言語を決定することができる情報が格納されている。そして、翻訳部５２が翻訳する言語は、移動端末２０の位置情報とこの現地語データベース５０ｄとに基づいて決定される。
【００４２】
以下、情報提供システム１Ａを用いた情報提供方法として、ユーザの移動端末２０にユーザ本人の個人情報が提供されるまでのフローを、図７に示したフロー図を参照しつつ説明する。
【００４３】
まず、ユーザが、移動端末２０の所定のアプリケーションソフトを用いてＲＦＩＤタグ１０との無線通信をおこなうことにより、入力部２２により識別コード「５６７８−Ｂ−１」の読み取りをおこなう（ステップ２０）。それと前後して、ユーザが、位置情報取得部３０により位置情報の取得をおこなう（ステップ２１）。すると、送信部２４から、格納部２８に格納されている個人ＩＤ「ＵＳＥＲ００１」と、ＲＦＩＤタグ１０から読み取られた識別コード「５６７８−Ｂ−１」と、移動端末２０の現在の位置情報とが、個人情報サーバ４０に転送される（ステップ２２）。
【００４４】
そして、個人情報サーバ４０が、受信部４２において、上記識別コード、個人ＩＤ及び位置情報を受信する（ステップＳ２３）。次に、個人情報サーバ４０の個人情報選出部４４が、受信部４２が受信した個人ＩＤ「ＵＳＥＲ００１」と、格納部５０の個人情報データベース５０ａとに基づいて、移動端末２０のユーザの個人情報（図２に示した個人情報）を選出する（ステップ２４）。それと前後して、個人情報サーバ４０の抽出項目決定部４６が、受信部４２が受信した識別コード「５６７８−Ｂ−１」と、格納部５０の抽出項目決定データベース５０ｂ及び識別コードデータベース５０ｃとに基づいて、個人情報の項目の中から抽出する項目を決定する（ステップ２５）。
【００４５】
すると、翻訳部５２が、受信部４２が受信した位置情報と、現地語データベース５０ｄとに基づいて、翻訳する言語（例えば、英語）を決定すると共に、個人情報選出部４４によって選出した個人情報のうち、抽出項目決定部４６によって決定した項目をその言語に翻訳する（ステップ２６）。そして、送信部４８から、翻訳部５２によって翻訳された個人情報が、移動端末２０に送信される（ステップ２７）。
【００４６】
その後、ユーザは、移動端末２０の受信部２６において、個人情報サーバ４０から送信された個人情報を受信することで（ステップ２８）、個人情報サーバ４０から移動端末２０のユーザへの個人情報の提供が完了する。ユーザは、個人情報サーバ４０から提供された個人情報を、現在位置の国の言語でモニタ等に出力することで、自由にその内容を閲覧したり提示したりすることができる。
【００４７】
以上で説明した第２実施形態に係る情報提供システム１Ａにおいても、移動端末２０によって受け付けた識別コードが個人情報サーバ４０に転送されて、個人情報サーバ４０は、その識別コードを用いて個人情報から抽出する項目を決定する。そのため、状況や重要度に応じて、項目の決定に用いる識別コードを変更して、個人情報の抽出項目を変更することができ、個人情報の多様な提供態様を実現することができる。
【００４８】
その上、個人情報サーバ４０が翻訳部５２を備えることで、別段の設定や情報処理をすることなく、個人情報サーバ４０に格納された個人情報の言語とは異なる言語の個人情報を提供することができる。従って、上述した例においては、ユーザの個人情報を現地語に翻訳した状態で移動端末２０に表示させることができるため、ユーザが海外の渡航先で事故に遭った場合でもその個人情報を十分に役立てることができる。また、個人情報サーバ４０の個人情報の宛先を、現地の大使館にしておくことで、事故発生の通報を遅滞なく簡単におこなうことができる。
【００４９】
本発明は上記実施形態に限定されるものではなく、様々な変形が可能である。例えば、個人情報サーバの各部分は、適宜、その機能を有する別のサーバとして分離することができる。また、識別コードは、ＲＦＩＤタグに格納する態様に限らず、例えば、ＱＲコード（登録商標）や電子透かし等に格納した態様に変更可能である。さらに、識別コードの読み取りは、非接触方式や無線方式に限らず、接触方式や有線方式に変更可能である。
【００５０】
また、個人情報を提供する態様として、電子メールを用いた態様のみを示しているが、適宜、メールソフト以外のアプリケーションソフトを用いた態様に変更可能である。その際の宛先指定には、ＩＰアドレス、電話番号、端末識別番号、各種ユーザアカウント等を利用してもよい。さらに、移動端末は、携帯電話機に限定されず、ＰＤＡやノートパソコン等であってもよい。個人情報サーバ４０の格納部５０に格納された各データベース５０ａ，５０ｂ，５０ｃの各項目は、必要に応じて、適宜変更及び増減することができる。
【図面の簡単な説明】
【００５１】
【図１】本発明の第１実施形態に係る情報提供システムを示したブロック構成図である。
【図２】図１に示した情報提供システムにおける個人情報データベースを示した図である。
【図３】図１に示した情報提供システムにおける抽出項目決定データベースを示した図である。
【図４】図１に示した情報提供システムにおける識別コードデータベースを示した図である。
【図５】本発明の第１実施形態に係る情報提供システムにおける処理フロー図である。
【図６】本発明の第２実施形態に係る情報提供システムを示したブロック構成図である。
【図７】本発明の第２実施形態に係る情報提供システムにおける処理フロー図である。
【符号の説明】
【００５２】
１，１Ａ…情報提供システム、１０…ＲＦＩＤタグ、２０…移動端末、２２…入力部、２４…送信部、２８…格納部、３０…位置情報取得部、４０…個人情報サーバ、４２受信部、４４…個人情報選出部、４６…抽出項目決定部、４８…送信部、５０…格納部、５２…翻訳部。
【図１】
2007323505.tif 000003
【図２】
2007323505.tif 000004
【図３】
2007323505.tif 000005
【図４】
2007323505.tif 000006
【図５】
2007323505.tif 000007
【図６】
2007323505.tif 000008
【図７】
2007323505.tif 000009